(57)【特許請求の範囲】
【請求項１】
ボデーの側部に操作用のハンドルが設けられるとともに、ボデーの先端には吐水口がその基端部において支持され、前記吐水口の先端部には電気部品が設けられるとともに、その電気部品に接続された電線コードが前記吐水口及びボデーの内部に配線された水栓において、
前記吐水口の基端部には保持部材が内挿され、前記ハンドルの反対側の位置において前記電線コードが前記保持部材に保持された水栓。
【請求項２】
前記吐水口が、吐水口本体と、その吐水口本体の先端に着脱可能に設けられた吐水ヘッドとにより構成され、その吐水ヘッドには、吐水口本体内及びボデーの内部に出し入れ移動可能に通された可撓性ホースを連結し、前記可撓性ホースと前記電線コードとの間にガード部材が介在された請求項１に記載の水栓。
【請求項３】
前記ガード部材は、前記可撓性ホースが内部に挿通された筒状のものである請求項２に記載の水栓。
【請求項４】
前記吐水口は湾曲形状を有し、
前記ガード部材は、前記吐水口の湾曲形状に従って湾曲されており、幅方向に延びる複数のスリットを並設した合成樹脂板を幅方向に巻回するとともに、その幅端部を重ね合わせ、前記スリットを前記ガード部材の湾曲域の内径側に、幅端部の重なり部を前記ガード部材の湾曲域の外径側に配置した請求項３に記載の水栓。
【請求項５】
前記電線コードは、コネクタを有し、そのコネクタが重なり部の幅端面によって形成されたスペース内に位置している請求項４に記載の水栓。
【請求項６】
前記電線コードは、そのコネクタが前記ハンドル側の一側面に位置するとともに、ガード部材の外周を周回して前記ハンドルと反対側の他側面から引き出された請求項５に記載の水栓。
【請求項７】
前記電気部品は、物体を非接触検出するセンサユニットである請求項１〜６のうちのいずれか一項に記載の水栓。
【請求項８】
前記保持部材の上面において、電線コードには、保持部材の上端と係合して電線コードの引き下げを阻止するロック部材を設けた請求項１〜７のうちのいずれか一項に記載の水栓。
【発明の詳細な説明】
【技術分野】
【０００１】
本発明は、ボデーから延びる吐水口の先端部にセンサ等の電気部品を設けた水栓に関するものである。
【背景技術】
【０００２】
この種の水栓が特許文献１及び特許文献２に開示されている。
特許文献１及び特許文献２に開示された水栓は、吐水口（特許文献１，２では吐水管）の内部に引出し可能な可撓性ホース（特許文献１，２では給水ホース）が設けられ、その可撓性ホースの先端に吐水ヘッドが設けられている。そして、可撓性ホースは吐水口内のホースガイド（特許文献１，２ではガイド管）内に挿通されている。また、吐水口の先端部にセンサを設けられている。このセンサから延びる扁平な電線コード（特許文献１，２では配線コード）が前記吐水口とホースガイドとの間に通され、この電線コードは、吐水口の基端側に通されている。
【先行技術文献】
【特許文献】
【０００３】
【特許文献１】特開２０１０−１２７０１０号公報（明細書の段落００７３，図面の図７等）
【特許文献２】特開２０１０−１３３１３１号公報（明細書の段落００５１，明細書の図７等）
【発明の概要】
【発明が解決しようとする課題】
【０００４】
ところで、前記電線コードは、水栓の組立て時に、吐水口内においてねじれたり、所定の配線位置から外れたりするおそれがある。電線コードがねじれた場合は、ねじれた電線コードの立ち上がり部が前記ホースガイドに強く当たって、ホースガイドが潰れる方向に変形されることがある。このような場合、変形されたホースガイドが可撓性ホースに強く当たって、可撓性ホースの出し入れがしにくくなることがある。また、電線コードが所定の配線位置から外れた場合は、センサと電線コードとの接続部に無理な引っ張り力が作用することがある。しかも、この電線コードのねじれや所定の配線位置からの外れ等は、吐水口が金属製であるため、外部からは視認することができず、見過ごされるおそれが多分にある。このため、水栓の組立てに際しては、電線コードにねじれ等が生じないように、電線コードを手で保持しながら組立て作業を慎重に行う必要があって、その組立てに手間がかかるものであった。
【０００５】
本発明の目的は、電線コードをねじれたりすることなく、所定の位置に配線することができる水栓を提供することにある。
【課題を解決するための手段】
【０００６】
上記の目的を達成するために、本発明においては、ボデーの側部に操作用のハンドルが設けられるとともに、ボデーの先端には吐水口がその基端部において支持され、前記吐水口の先端部には電気部品が設けられるとともに、その電気部品に接続された電線コードが前記吐水口及びボデーの内部に配線された水栓において、前記吐水口の基端部には保持部材が内挿され、前記ハンドルの反対側の位置において前記電線コードが前記保持部材に保持されたことを特徴とする。
【０００７】
以上の構成においては、水栓の組立てに際して、電線コードを保持部材に保持できるため、電線コードがねじれたりすることなく、所定の位置に配線できる。
【発明の効果】
【０００８】
本発明によれば、電線コードをねじれたりすることなく、所定の位置に配線することができる効果がある。
【図面の簡単な説明】
【０００９】
【図１】水栓の斜視図。
【図２】水栓の断面図。
【図３】水栓の分解斜視図。
【図４】吐水口本体を切断して示す断面図。
【図５】図４の５−５線位置の断面図。
【図６】水栓のボデー部分の断面図。
【図７】保持部材を示す斜視図。
【図８】図６の８−８線断面図。
【図９】図６の９−９線断面図。
【図１０】図６の１０−１０線断面図。
【図１１】図６の１１−１１線断面図。
【図１２】図６の１２−１２線断面図。
【発明を実施するための形態】
【００１０】
以下に、本発明を具体化した実施形態を図面に従って説明する。
図１及び図２に示すように、グースネック水栓（以下、単に水栓という）１１のボデー１２は、その下端にねじを介して取り付けた接続体１２１と、その接続体１２１の下端部外周のねじ部に螺合した雌ねじ部材１２２とによりキッチンキャビネットのカウンタ１３に固定されている。ボデー１２の右側には、吐止水の切換え、吐水量調節及び吐水温度調節の各操作を行なうためのレバーハンドル１４が設けられている。本実施形態においては、レバーハンドル１４が備えられた側を右、その反対側を左とする。
【００１１】
図２及び図３に示すように、ボデー１２の上端には、湾曲（グースネック）形状の吐水口１５がその基端部において支持されている。図６に示すように、回転スリーブ１７は、吐水口１５における吐水口本体１６の基端に挿入固定されているとともに、低摩擦リング１８及びオーリング１９を介してボデー１２の上端開口に対して左右に回転可能に挿入支持されている。なお、図３に示すように、回転スリーブ１７に設けた切欠き１７１とボデー１２に設けた突起（図示しない）との係合により、吐水口１５の回転が所定範囲（例えば、左右に９０度ずつ）に規制される。
【００１２】
図２及び図３に示すように、吐水口本体１６の先端開口には、吐水ヘッド２１が着脱可能に取り付けられている。前記吐水ヘッド２１には、金属製の可撓性ホース２４の先端が連結され、その可撓性ホース２４は、前記吐水口本体１６，回転スリーブ１７及びボデー１２内を通り、前記カウンタ１３の下部において迂回させて弛みを持たせた自身の余長部（図示しない）を経て、ボデー１２の吐水管２２に接続されている。そして、吐水ヘッド２１が吐水口本体１６から外されることにより、可撓性ホース２４は、前記余長部から繰り出されて、ボデー１２内及び吐水口本体１６内を移動して外部に引き出される。なお、図２や図１１等に示す５０は、水が供給される給水管、５１は湯が供給される給湯管を示す。
【００１３】
図１に示すように、吐水ヘッド２１の外側には、切換えボタン２３が設けられており、この切換えボタン２３に対する切換え操作により、吐水ヘッド２１の先端からの吐水が通常（直流）吐水またはシャワー吐水に切換えられる。
【００１４】
図２及び図３に示すように、吐水口本体１６の先端部の上部側には、透孔２５が形成され、この透孔２５内には電気部品としてのセンサユニット２６が嵌合されている。このセンサユニット２６の透光性のケース２７の内部のセンサ２８により水栓使用者の人体等の物体が非接触検出されて、その検出信号がセンサ２８からセンサユニット２６内の制御部（図示しない）に伝達される。そして、センサユニット２６からの信号が電線コード２９を介して電磁弁（図示しない）に伝達されて、その電磁弁が動作され、吐止水が切換えられる。この電磁弁は、前記カウンタ１３の下側に設けられており、電線コード２９は、吐水口本体１６，回転スリーブ１７及びボデー１２内を通って、電磁弁及びＡＣアダプタ（電源アダプタ：図示しない）に接続されている。
【００１５】
図７に示すように、この電線コード２９は、電力が供給される給電線，前記電磁弁を制御するための信号が供給される信号線等の複数の電線を並列状態でモールドして、扁平形状に形成されている（図５及び図７参照）。また、図１及び図３に示すように、電線コード２９は、短いセンサ側部分２９１と、長い電源側部分２９２とを有し、それらの部分２９１，２９２の端部間がコネクタ３５，３６により接続されている。このコネクタ３５，３６は、吐水口本体１６の上端部における右側に位置している。
【００１６】
図２及び図３に示すように、前記回転スリーブ１７と吐水ヘッド２１との間において、吐水口本体１６の内部には、ガード部材としてのホースガイド３１が挿通されている。このホースガイド３１は、吐水口本体１６の湾曲に従って湾曲されている。また、図４及び図５に示すように、ホースガイド３１は、一枚の帯状の合成樹脂板をその幅端部が重なるように幅方向に丸めたものであって、その重なり部３１１が湾曲域の外径側に位置するとともに、内径側から外径側にかけて複数のスリット３２が等間隔をおいて形成されている。そして、ホースガイド３１の内部に前記可撓性ホース２４が挿通されるとともに、前記電線コード２９がホースガイド３１の外側に位置して、電線コード２９と可撓性ホース２４とが接触しないようになっている。電線コード２９は、吐水口１５の左右回転を許容する程度の長さの余裕をもって可撓性ホース２４に巻回され、吐水口本体１６の基端の左側からボデー１２内に進入している。
【００１７】
図４及び図５に示すように、ホースガイド３１の重なり部３１１の外径側の幅端面３１２は、右側に位置し、前記電線コード２９のコネクタ３５，３６は、この幅端面３１２の段差部の直下に生じたスペース（隙間）３７内に位置している。
【００１８】
図３及び図９に示すように、ホースガイド３１の基端部の右側には、切欠き３３が形成されている。この切欠き３３の形成により、ホースガイド３１の基端部の左側には、幅狭部３４が形成されている。そして、この幅狭部３４が回転スリーブ１７内に挿入され、電線コード２９が幅狭部３４の外側面に通されている。
【００１９】
図６〜図８に示すように、前記回転スリーブ１７の上部側において、吐水口本体１６の基端部内には、短円筒状をなす合成樹脂製の保持部材３８が挿入され、その内部に前記ホースガイド３１及び可撓性ホース２４が挿通されている。保持部材３８の外周上端には、一対の爪部３９１よりなる把持部３９が形成され、この把持部３９に前記電線コード２９が把持されている。把持部３９の下側において、保持部材３８には、切欠３８１が形成されている。保持部材３８の外周面には、等間隔をおいて複数の突条３８２が形成され、この突条３８２が吐水口本体１６の内周面に当接される。
【００２０】
保持部材３８の直上において、電線コード２９の外周にはロック部材４０が固定されている。このロック部材４０は、把持部３９を含む保持部材３８の上端に係合して、電線コード２９が下方へ移動されることを阻止する。
【００２１】
図３，図６及び図１０に示すように、ボデー１２内には筒状の第１ガイド部材４１が設けられ、その内部には可撓性ホース２４が挿通されている。第１ガイド部材４１の上端部の左側には凹部４２が形成されるとともに、その凹部４２の下側の外側面には上下に延びる案内溝４３が形成されている。図３，図６及び図１１に示すように、ボデー１２の下部の前記接続体１２１の中間部の段差４４の上部側において、その内部には第２ガイド部材４５が設けられ、図３，図６及び図１２に示すように、段差４４の下部側には第３ガイド部材４６及び第４ガイド部材４７が上下に設けられている。前記第２ガイド部材４５の内部に第３ガイド部材４６の上端部が挿入されて、両者により前記案内溝４３に対向する案内間隙４８が形成されている。第４ガイド部材４７の外側面には前記案内間隙４８に対向する案内溝４９が形成されている。
【００２２】
そして、図２，図３及び図８〜図１２に示すように、前記電線コード２９が保持部材３８の把持部３９から回転スリーブ１７内のホースガイド３１の幅狭部３４の外側を通って、第１ガイド部材４１の凹部４２の部分から前記案内溝４３，案内間隙４８及び案内溝４９によって案内されている。これによって、電線コード２９がボデー１２の左側で、かつ可撓性ホース２４と接触しない位置に保持されている。
【００２３】
なお、保持部材３８と回転スリーブ１７との間の間隔が狭いために、電線コード２９が保持部材３８の下端と回転スリーブ１７の上端との間において内側に屈曲されるおそれがあるが、保持部材３８の把持部３９の下側には切欠３８１が形成されているため、同電線コード２９が小さな角度で屈曲するおそれを回避することができる。また、回転スリーブ１７と第１ガイド部材４１との間の間隔が狭いために、電線コード２９が第１ガイド部材４１の上端に当たると、同電線コード２９が小さな角度で外側に屈曲するおそれがあるが、第１ガイド部材４１の上端には凹部４２が形成されているため、同電線コード２９が小さな角度で屈曲するおそれを回避することができる。
【００２４】
本実施形態は、以下のように作用する。
水栓１１の組立てに際しては、ボデー１２に対する吐水口本体１６の組付け前において、吐水口本体１６の先端開口あるいは基端開口から吐水口本体１６内にホースガイド３１を通すとともに、吐水口本体１６の先端開口から電線コード２９及び可撓性ホース２４を同吐水口本体１６内に通す。センサユニット２６及び吐水ヘッド２１は、それぞれあらかじめ電線コード２９及び可撓性ホース２４に取り付けられている。
【００２５】
このとき、吐水口本体１６の基端側付近において、保持部材３８の内側に可撓性ホース２４を挿通させ、電線コード２９を保持部材３８の把持部３９に把持させるとともに、ロック部材４０を保持部材３８の上端に位置させる。これと、相前後して、電線コード２９のコネクタ３５，３６がホースガイド３１の外周の右側のスペース３７内に位置するようにして、ホースガイド３１を吐水口本体１６の所定の向きに位置させるとともに、センサユニット２６を吐水口本体１６の透孔２５に嵌合する。
【００２６】
そして、電線コード２９が吐水口本体１６の左側に位置する状態で、保持部材３８を吐水口本体１６の基端部の内部に入れ込む。この電線コード２９は、保持部材３８とロック部材４０との係合により、センサユニット２６と保持部材３８との間において弛みを持たせられた状態に維持される。このようにすれば、前記のように、電線コード２９がコネクタ３５，３６の部分においては右側に位置するとともに、そのコネクタ３５，３６の位置からホースガイド３１の外周を周回して吐水口本体１６の左側から引き出される。電線コード２９は、第１〜第４ガイド部材４１，４５〜４７に通される。従って、電線コード２９は、レバーハンドル１４や、レバーハンドル１４によって作動される弁機構等を避けた左側において、第１〜第４ガイド部材４１，４５〜４７を通ってそれらの下方に位置する電磁弁及びＡＣアダプタに接続される。
【００２７】
そして、この状態で、吐水口本体１６がボデー１２に組付けられる。
吐水口１５を左右に回転させてその左右の向きを変える場合には、保持部材３８は、多少追従回転するが、吐水口１５に対して相対回転して、ほぼ定位置を保持する。また、このとき、電線コード２９には弛みが持たせられているため、電線コード２９に無理な引っ張り力が作用することはない。そして、電線コード２９は、回転スリーブ１７上の保持部材３８の把持部３９によって把持されているため、回転スリーブ１７の上部側において妄動することなく、左側の位置に保持される。つまり、電線コード２９は、吐水口１５が回転されても、左側の定位置に保持される。
【００２８】
また、電線コード２９は、保持部材３８の直上に位置するロック部材４０と係合することにより下方移動が阻止される。
可撓性ホース２４と電線コード２９との間には、ホースガイド３１が存在する。このため、吐水ヘッド２１を吐水口本体１６の先端から外して可撓性ホース２４とともに引き出す場合や、引き出された吐水ヘッド２１を吐水口本体１６に嵌める場合には、電線コード２９上を可撓性ホース２４が擦過されることはなく、電線コード２９にダメージが与えられることが防止される。
【００２９】
本実施形態では、以下の効果を奏する。
（１）水栓１１の組立てに際して、保持部材３８により、電線コード２９を右側のレバーハンドル１４と反対側の左側において保持できる。このため、吐水口本体１６内の電線コード２９を見ることができなくても、電線コード２９がねじれたり、同コード２９に無理な引っ張り力が作用したりすることなく、電線コード２９を吐水口本体１６の内部の所定位置に配線して、ボデー１２の下方の電磁弁及びＡＣアダプタに接続できる。このように、電線コード２９をねじれたりすることなく配線できるため、電線コード２９のねじれ等によるホースガイド３１の変形を抑制できて、可撓性ホース２４を円滑に出し入れできる。従って、水栓１１の組立てに際して、電線コード２９を手で保持しながら、その組立てを行うような必要がなく、水栓１１の組立てを容易に行うことができる。
【００３０】
（２）電線コード２９を回転スリーブ１７の部分において左側に配線できるため、ボデー１２の左側の第１〜第４ガイド部材４１，４５〜４７との間において電線コード２９に無理な力，例えば引っ張り力が作用することはない。つまり、電線コード２９を保持部材３８と第１〜第４ガイド部材４１，４５〜４７とによって、ボデー１２の左側に保持できる。このため、吐水口１５が左右に回転されても、電線コード２９は左側の位置を保持し、保持部材３８とセンサユニット２６との間において電線コード２９に弛みが設けられていることも相まって、その電線コード２９に対して大きな曲げ応力が繰り返し作用することを防止できて、電線コード２９のダメージを有効に回避できる。
【００３１】
（３）電磁弁及びＡＣアダプタのメンテナンス等において、ボデー１２や、その下側の位置において、電線コード２９に引き下げ力が作用しても、ロック部材４０が保持部材３８の上端に当たる。このため、電線コード２９の引き下げ移動が阻止され、電線コード２９とセンサユニット２６との接続部やコネクタ３５，３６等に無理な引っ張り力が作用することを防いで、コネクタ３５，３６が外れたりすることを防止できる。
【００３２】
（４）ホースガイド３１の重なり部３１１がホースガイド３１の湾曲域の外径側に位置しているため、ホースガイド３１のスリット３２は湾曲域の内径側に位置することになり、そのスリット３２の開口幅が狭くなる。このため、ホースガイド３１内に可撓性ホース２４を挿入する際に、可撓性ホース２４がスリット３２の縁部に引っ掛かることが少なくなり、同可撓性ホース２４の挿入作業が容易になる。
【００３３】
（５）コネクタ３５，３６がホースガイド３１の右側において、ホースガイド３１の幅端面３１２によって形成されたスペース３７内に位置しているため、ホースガイド３１はコネクタ３５，３６によって押されて変形されても、その変形量は少ない。従って、ホースガイド３１に対する可撓性ホース２４の挿入作業を円滑に行うことができる。これに対し、コネクタ３５，３６がセンサユニット２６と同様にホースガイド３１の湾曲域の外径側に位置している場合には、コネクタ３５，３６がホースガイド３１の曲率半径が大きい部分に位置する。そして、この部分においては、ホースガイド３１には、吐水口１５の外径側の内面に向かって膨らむ方向の力が作用するとともに、厚く、剛性が高い重なり部３１１に位置するため、コネクタ３５，３６により、ホースガイド３１に対して圧潰方向に大きな力が加えられる。従って、ホースガイド３１はコネクタ３５，３６によって大きく変形されて、可撓性ホース２４を挿入したり、出し入れしたりしにくくなる。
【００３４】
（６）回転スリーブ１７が小径であっても、ホースガイド３１の端部には幅狭部３４が形成されているため、電線コード２９を幅狭部３４の外側を通って可撓性ホース２４と接触することなく、無理なく通すことができる。従って、可撓性ホース２４の出し入れ移動によって、電線コード２９に対してダメージが与えられることを防止できる。また、回転スリーブ１７として太いものを使用する必要がないため、スリムで高いデザイン性の高い水栓１１を実現できる。また、ホースガイド３１に幅狭部３４が形成されるため、ホースガイド３１の組付けに際して、その幅狭部３４を回転スリーブ１７に容易に差し込むことができて、組付けを容易に行なうことができる。
【００３５】
（変更例）
本発明は、前記各実施形態に限定されるものではなく、以下のような態様で具体化することも可能である。
【００３６】
・図６及び図７に２点鎖線で示すように、保持部材３８の把持部３９の下面側にも電線コード２９上に別のロック部材４０を設けること。このようにすれば、例えばセンサユニット２６の点検や交換等において、電線コード２９を上側に引き抜いた際、下側のロック部材４０によって保持部材３８も引き上げられる。このため、保持部材３８が吐水口本体１６内に残ってしまうことなく、電線コード２９との位置関係を保持したまま引き出すことができる。これにより、保持部材３８に対して電線コード２９を組付けた状態で、吐水口本体１６に対する保持部材３８の再組付けが可能になる。
【００３７】
・ホースガイド３１として、スリット３２が形成されていないものを用いること。
・吐水口本体１６が湾曲形状ではなく、ストレート形状をなす水栓に本発明を実施すること。
【００３８】
・電線コード２９に接続された電気部品として、センサユニット２６に代えて、例えば、スイッチや手許ランプ等を装備すること。
・レバーハンドル１４が左側に配置されている場合は、電線コード２９を前記実施形態とは反対側に配線すること。すなわち、コネクタ３５，３６を左側に配置し、吐水口１５の基端部において、電線コード２９を右側に配線すること。この場合、ホースガイド３１の重なり部３１１が左側になるようにホースガイド３１の向きを決定すること。
【符号の説明】
【００３９】
１１…水栓、１２…ボデー、１５…吐水口、１６…吐水口本体、２１…吐水ヘッド、２４…可撓性ホース、２６…センサユニット、２９…電線コード、３１…ホースガイド、３２…スリット、３５…コネクタ、３６…コネクタ、３７…スペース、３８…保持部材、４０…ロック部材、３１１…重なり部、３１２…幅端面。
【図１】
0006754592.tif 000002
【図２】
0006754592.tif 000003
【図３】
0006754592.tif 000004
【図４】
0006754592.tif 000005
【図５】
0006754592.tif 000006
【図６】
0006754592.tif 000007
【図７】
0006754592.tif 000008
【図８】
0006754592.tif 000009
【図９】
0006754592.tif 000010
【図１０】
0006754592.tif 000011
【図１１】
0006754592.tif 000012
【図１２】
0006754592.tif 000013